(57)【要約】【課題】フィルタのフィルタ取付枠への取り付け、取り外しを、フィルタのみで簡単に行うことができるフィルタ、およびフィルタのフィルタ取付枠への取付構造を提供することである。【解決手段】通気方向上流側に開口部を有するろ材３と、このろ材３の開口部周縁に取り付けられる矩形の枠体からなるフランジフレーム４とを備えたフィルタ１であって、フランジフレーム４を、該フランジフレーム４の一方の向かい合う一対の辺にそれぞれ設けたヒンジ部６ａで折曲可能にしたものである。フィルタ１のフィルタ取付枠への取付構造であって、フィルタ１のフランジフレーム４を折り曲げた状態から広げた状態で、該フランジフレーム４の他方の向かい合う一対の辺が、フィルタ取付枠の内面に設けられている保持部に保持される取付構造である。【選択図】図４
2008036570.tif 000002
【特許請求の範囲】
【請求項１】
通気方向上流側に開口部を有するろ材と、このろ材の開口部周縁に取り付けられる矩形の枠体からなるフランジフレームとを備えたフィルタであって、
前記フランジフレームを、該フランジフレームを構成する一方の向かい合う一対の辺および他方の向かい合う一対の辺のうち、前記一方の向かい合う一対の辺にそれぞれ設けたヒンジ部で折曲可能にしたことを特徴とするフィルタ。
【請求項２】
前記フランジフレームが、前記ヒンジ部を介して連結された一対のコ字型フレーム部材で構成されている請求項１記載のフィルタ。
【請求項３】
前記ヒンジ部の近傍に、前記フランジフレームをフィルタ取付枠のフィルタ係止部に係止するための爪部が、前記フランジフレームから突設されている請求項１または２記載のフィルタ。
【請求項４】
フランジフレームの前記一方の向かい合う一対の各辺に、前記ヒンジ部が複数設けられている請求項１〜３のいずれかに記載のフィルタ。
【請求項５】
請求項１〜４のいずれかに記載のフィルタのフィルタ取付枠への取付構造であって、
フィルタの前記フランジフレームを折り曲げた状態から広げた状態で、該フランジフレームの前記他方の向かい合う一対の辺が、フィルタ取付枠を構成する辺のうち、フランジフレームの前記他方の向かい合う一対の辺に対応する辺の内面に設けられている保持部にそれぞれ保持されることを特徴とする、フィルタのフィルタ取付枠への取付構造。
【請求項６】
前記保持部が溝部である請求項５記載の取付構造。
【請求項７】
前記溝部は、上流側仕切り板と、下流側仕切り板と、該下流側仕切り板に設けられるガスケット部とで構成され、
前記上流側仕切り板の枠からの高さに対して下流側仕切り板の枠からの高さが高く、
前記上流側仕切り板と下流側仕切り板との間隙は、フランジフレームの前記他方の向かい合う一対の辺の厚みよりも大きく、
前記上流側仕切り板とガスケット部との間隙は、フランジフレームの前記他方の向かい合う一対の辺の厚みよりも薄く、
かつ前記上流側仕切り板とガスケット部との間隙に、フランジフレームの前記他方の向かい合う一対の辺が挟圧保持される請求項５または６記載の取付構造。
【請求項８】
さらにフィルタの前記爪部が、フィルタ取付枠に設けられているフィルタ係止部に係止される請求項５〜７のいずれかに記載の取付構造。
【請求項９】
フィルタの前記爪部がフィルタ係止部に係止された状態で、該爪部が、フィルタ取付枠を構成する辺のうち、フランジフレームの前記一方の向かい合う一対の辺に対応する辺の内面に設けられている仕切り板のガスケット部によって、通気方向上流側に押圧されている請求項５〜８のいずれかに記載の取付構造。
【請求項１０】
フランジフレームの前記一方の向かい合う一対の辺が、フィルタ取付枠を構成する辺のうち、フランジフレームの前記一方の向かい合う一対の辺に対応する辺の内面に設けられている爪部にそれぞれ係止される請求項５〜９のいずれかに記載の取付構造。
【請求項１１】
フランジフレームの前記一方の向かい合う一対の辺がフィルタ取付枠の前記爪部に係止された状態で、該フランジフレームの前記一方の向かい合う一対の辺が、フィルタ取付枠を構成する辺のうち、フランジフレームの前記一方の向かい合う一対の辺に対応する辺の内面に設けられている仕切り板のガスケット部によって、通気方向上流側に押圧されている請求項５〜１０のいずれかに記載の取付構造。
【発明の詳細な説明】
【技術分野】
【０００１】
本発明は、空気中の（微）粒子を捕集するためのフィルタおよびフィルタのフィルタ取付枠への取付構造に関する。
【背景技術】
【０００２】
従来から、空気中の（微）粒子を捕集するために（エア）フィルタが使用されているが、該フィルタは、フィルタ取付枠に取り付けられた状態で使用される。該フィルタは、性能の低下等によって定期的に交換しなければならないが、この際、フィルタのフィルタ取付枠への取り付け、取り外しが必要になる。
【０００３】
フィルタの開口部周縁に形成されているフランジ部を、押え金具によってフィルタ取付枠に押し付けて、フィルタ取付枠に取り付けているフィルタがある（例えば、特許文献１参照。）。このフィルタ（フランジ部含む）は、アクリル酸繊維のような多孔質のフィルタ繊維からなるので、柔軟性があり、格納または輸送時には小さく折り畳むことができる。
【０００４】
しかしながら、その柔軟性のため、フィルタを折り畳んだ状態から広げた状態にしたときには、フィルタの保形性が悪く、フィルタの開口部周縁に形成されているフランジ部を押え金具で押え難く、フィルタの取り付け、取り外しが必ずしも容易であるとはいえない。また、フィルタの取り付けには押え金具を必要とし、紛失した際には、フィルタをフィルタ取付枠に取り付けることができないという問題もある。
【０００５】
一方、ろ材の開口部周縁にプラスチック等からなるフランジフレームを取り付けたフィルタがある（例えば、非特許文献１参照。）。このようなフィルタは、保形性に優れるので、フィルタをフィルタ取付枠に簡単に取り付けることができる。
しかしながら、このフィルタは保形性に優れているため、フィルタの輸送時や保管時等にスペースを取るという問題がある。また、フィルタの取り付けに押え金具を必要とする問題もある。
【特許文献１】特公昭４２−５６３２号公報（第１図、１３図、１４図）
【非特許文献１】“フィレドンユニット形エアフィルタ  フィロ・バッグ  ＶＩＬＯ  ＢＡＧ”、ｐ．６，９、［online］、日本バイリーン株式会社、［平成１８年６月２７日検索］、インターネット＜URL: http://www.vilene.co.jp/aircon/pdf/09VILOBAG.pdf＞
【発明の開示】
【発明が解決しようとする課題】
【０００６】
本発明の課題は、フィルタのフィルタ取付枠への取り付け、取り外しを、フィルタのみで簡単に行うことができるフィルタ、およびフィルタのフィルタ取付枠への取付構造を提供することである。
【課題を解決するための手段】
【０００７】
本発明者は、上記課題を解決すべく鋭意研究を重ねた結果、以下の構成からなる解決手段を見出し、本発明を完成するに至った。
【０００８】
（１）通気方向上流側に開口部を有するろ材と、このろ材の開口部周縁に取り付けられる矩形の枠体からなるフランジフレームとを備えたフィルタであって、前記フランジフレームを、該フランジフレームを構成する一方の向かい合う一対の辺および他方の向かい合う一対の辺のうち、前記一方の向かい合う一対の辺にそれぞれ設けたヒンジ部で折曲可能にしたことを特徴とするフィルタ。
（２）前記フランジフレームが、前記ヒンジ部を介して連結された一対のコ字型フレーム部材で構成されている前記（１）記載のフィルタ。
（３）前記ヒンジ部の近傍に、前記フランジフレームをフィルタ取付枠のフィルタ係止部に係止するための爪部が、前記フランジフレームから突設されている前記（１）または（２）記載のフィルタ。
（４）フランジフレームの前記一方の向かい合う一対の各辺に、前記ヒンジ部が複数設けられている前記（１）〜（３）のいずれかに記載のフィルタ。
【０００９】
（５）前記（１）〜（４）のいずれかに記載のフィルタのフィルタ取付枠への取付構造であって、フィルタの前記フランジフレームを折り曲げた状態から広げた状態で、該フランジフレームの前記他方の向かい合う一対の辺が、フィルタ取付枠を構成する辺のうち、フランジフレームの前記他方の向かい合う一対の辺に対応する辺の内面に設けられている保持部にそれぞれ保持されることを特徴とする、フィルタのフィルタ取付枠への取付構造。
（６）前記保持部が溝部である前記（５）記載の取付構造。
（７）前記溝部は、上流側仕切り板と、下流側仕切り板と、該下流側仕切り板に設けられるガスケット部とで構成され、前記上流側仕切り板の枠からの高さに対して下流側仕切り板の枠からの高さが高く、前記上流側仕切り板と下流側仕切り板との間隙は、フランジフレームの前記他方の向かい合う一対の辺の厚みよりも大きく、前記上流側仕切り板とガスケット部との間隙は、フランジフレームの前記他方の向かい合う一対の辺の厚みよりも薄く、かつ前記上流側仕切り板とガスケット部との間隙に、フランジフレームの前記他方の向かい合う一対の辺が挟圧保持される前記（５）または（６）記載の取付構造。
（８）さらにフィルタの前記爪部が、フィルタ取付枠に設けられているフィルタ係止部に係止される前記（５）〜（７）のいずれかに記載の取付構造。
（９）フィルタの前記爪部がフィルタ係止部に係止された状態で、該爪部が、フィルタ取付枠を構成する辺のうち、フランジフレームの前記一方の向かい合う一対の辺に対応する辺の内面に設けられている仕切り板のガスケット部によって、通気方向上流側に押圧されている前記（５）〜（８）のいずれかに記載の取付構造。
【００１０】
（１０）フランジフレームの前記一方の向かい合う一対の辺が、フィルタ取付枠を構成する辺のうち、フランジフレームの前記一方の向かい合う一対の辺に対応する辺の内面に設けられている爪部にそれぞれ係止される前記（５）〜（９）のいずれかに記載の取付構造。
（１１）フランジフレームの前記一方の向かい合う一対の辺がフィルタ取付枠の前記爪部に係止された状態で、該フランジフレームの前記一方の向かい合う一対の辺が、フィルタ取付枠を構成する辺のうち、フランジフレームの前記一方の向かい合う一対の辺に対応する辺の内面に設けられている仕切り板のガスケット部によって、通気方向上流側に押圧されている前記（５）〜（１０）のいずれかに記載の取付構造。
【発明の効果】
【００１１】
前記（１），（２），（５）記載によれば、折り曲げて幅を狭めたフィルタをフィルタ取付枠内に挿入し、折り曲げたフランジフレームを押し込みながら広げると、該フランジフレームの他方の向かい合う一対の辺（すなわち、ヒンジ部が設けられていない向かい合う一対の辺）を、フィルタ取付枠を構成する辺のうち、フランジフレームの前記他方の向かい合う一対の辺に対応する辺の内面に設けられている保持部に保持させることができるので、殆どワンタッチでフィルタをフィルタ取付枠に取り付けることができるという効果を有する。
【００１２】
一方、取り付けられたフィルタをフィルタ取付枠から取り外す際には、フランジフレームを折り曲げながら、該フランジフレームの前記一対の辺を、それぞれ保持部から引き抜くことにより、フィルタをフィルタ取付枠から取り外すことができる。したがって、フィルタのフィルタ取付枠への取り付け、取り外しを、押さえ金具等の別部材を必要とせず、フィルタのみで簡単に行うことができる。
【００１３】
また、フィルタには、ろ材の開口部周縁に所定のヒンジ部で折曲可能にしたフランジフレームが取り付けられているので、該フランジフレームを折り曲げることによって、フィルタの幅を狭めることができ、フィルタの輸送時や保管時等においてフィルタを減容することによるコストダウンを図ることもできる。
【００１４】
前記（３），（８），（９）記載によれば、ヒンジ部の近傍にフランジフレームから爪部が突設されているので、該爪部をフィルタ取付枠に設けられているフィルタ係止部に係止することができ、フィルタのフィルタ取付枠への取り付け安定性および気密性を向上させることができる。
前記（４）記載によれば、フランジフレームの前記一方の向かい合う一対の各辺に、前記ヒンジ部を複数設けるので、フィルタの幅をより狭めることができ、フィルタをより減容できる。
前記（６）記載によれば、前記保持部が溝部であるので、該溝部内にフランジフレームの前記他方の向かい合う一対の辺を挿入することにより、該一対の辺全体を簡単に保持することができる。
【００１５】
特に、前記溝部が前記（７）記載のように、上流側仕切り板と、下流側仕切り板と、該下流側仕切り板の上流側面に設けられるガスケット部とで構成され、前記上流側仕切り板の枠からの高さに対して下流側仕切り板の枠からの高さが高く構成されていると、折り曲げたフランジフレームの前記他方の向かい合う一対の辺を下流側仕切り板のガスケット部に当接させた状態で、折り曲げたフランジフレームを押し込みながら広げることにより、該一対の辺を上流側仕切り板と下流側仕切り板との間に簡単に挿入することができる。しかも、前記上流側仕切り板と下流側仕切り板との間隙は、フランジフレームの前記他方の向かい合う一対の辺の厚みよりも大きく、前記上流側仕切り板とガスケット部との間隙は、前記他方の向かい合う一対の辺の厚みよりも薄く構成されているので、該溝部内に挿入されたフランジフレームの前記一対の辺は、前記ガスケット部によって挟圧保持され、その結果、該一対の辺を確実に保持することができると共に、優れた気密性を示すことができる。
【００１６】
前記（１０），（１１）記載によれば、フランジフレームの一方の向かい合う一対の辺が、フィルタ取付枠の所定の辺の内面に設けられている爪部に係止される。したがって、フィルタに爪部を突設しない場合であっても、フィルタのフィルタ取付枠への取り付け安定性および気密性を向上させることができる。
【発明を実施するための最良の形態】
【００１７】
以下、本発明の一実施形態にかかるフィルタ、およびフィルタのフィルタ取付枠への取付構造について図面を参照して詳細に説明する。
＜フィルタ＞
まず、本実施形態にかかるフィルタについて説明する。図１は、本実施形態にかかるフィルタを示す平面図である。図２は、図１のフィルタを示す正面図である。図３は、図１のフィルタを示す側面図である。図４は、図１のフランジフレームを折り曲げる状態を示す概略説明図である。図５は、図３の爪部付近を示す部分拡大図である。
【００１８】
図１〜図３に示すように、このフィルタ１は、開口部２を有するろ材３と、ろ材３の開口部２周縁に取り付けられた矩形の枠体からなるフランジフレーム４と、爪部５とを備えている。ろ材３は、空気中の（微）粒子を捕集するためのものであり、通気方向Ａに対して上流側に開口部２を有している。ろ材３の材質としては、特に限定されるものではなく、例えばガラス繊維等の無機繊維、ポリエステル、ポリエチレン、ポリプロピレン、ポリテトラフルオロエチレン等の有機繊維（合成繊維）の織布や不織布等が挙げられる。この織布や不織布等を、広い表面積を確保する上で、図１に示すような袋状に縫製するのが好ましいが、これに限定されるものではない。
【００１９】
フランジフレーム４は、該フランジフレーム４を構成する一方の向かい合う一対の辺４ｃ，４ｄおよび他方の向かい合う一対の辺４ｅ，４ｆのうち、一方の向かい合う一対の辺４ｃ，４ｄにそれぞれ設けたヒンジ部６ａ，６ｂで折曲可能に構成されている。これにより、図４に示す矢印Ｂに示す方向に該フランジフレーム４を折り曲げることが可能となり、フィルタ１の幅を狭めることができる。
【００２０】
本実施形態のフランジフレーム４は、ヒンジ部６ａ，６ｂを介して連結された一対のコ字型フレーム部材４ａ，４ｂで構成されている。このフランジフレーム４ａ，４ｂは、該ヒンジ部６ａ，６ｂにより該フランジフレーム４ａ，４ｂが図１に示すような直線状の状態から、図４に示す矢印Ｂに示す方向と反対方向には折り曲げできないように構成されている。フランジフレーム４の材質としては、特に限定されるものではなく、例えばアルミニウム等の金属類、樹脂類、ゴム等が挙げられる。
【００２１】
フランジフレーム４は、ろ材３の開口部２周縁に取り付けられる。フランジフレーム４とろ材３との取り付け方法は、特に限定されるものではなく、例えば図１に示すように、フランジフレーム４ａ，４ｂを、それぞれ通気方向Ａに対して略直交する向きに分割してフランジフレーム４ａ’，４ａ’，４ｂ’，４ｂ’で構成し、ろ材３の開口部２周縁を、フランジフレーム４ａ’，４ａ’ およびフランジフレーム４ｂ’，４ｂ’でそれぞれ挟持して取り付けてもよく、接着剤等により接合して取り付けてもよい。
【００２２】
爪部５は、下記で説明する図７に示すフィルタ取付枠１０のフィルタ係止部１２に係止するためのものであり、ヒンジ部６ａ，６ｂの近傍にフランジフレーム４から突設されている。具体的には、図２および図３に示すように、爪部５ａがヒンジ部６ａの近傍でフランジフレーム４から通気方向Ａに対して上流側に突設され、爪部５ｂがヒンジ部６ｂの近傍でフランジフレーム４から前記上流側に突設されている。爪部５（５ａ，５ｂ）は、高い耐久性を得る上で、フランジフレーム４と一体に成型されているのが好ましい。
【００２３】
爪部５の形状として、爪部５ａ，５ｂのうち爪部５ｂについて説明すると、爪部５ｂは、図５に示すように、支持部５ｃと、該支持部５ｃに支持される係止部５ｄとで主に構成されている。前記係止部５ｄの上流側の面は支持部５ｃに対して略垂直な平面であり、係止部５ｄの下流側の面は図５に示すような曲面状に形成されている。これにより、フィルタ１をフィルタ取付枠１０に取り付ける際には、まず、係止部５ｄの下流側の面が、フィルタ係止部１２に上流側から当接するが、該下流側の面は曲面状に形成されているので、フィルタ係止部１２に乗り上げやすくなる。そして、係止部５ｄの下流側がフィルタ係止部１２を乗り越えた後、該係止部５ｄの上流側の面がフィルタ係止部１２の下流側に係止する。
【００２４】
爪部５ｂには、図５に示すような凹溝５ｅを形成するのがよい。これにより、支持部５ｃが変形しやすくなるので、例えば係止部５ｄの下流側の面が、フィルタ係止部１２に上流側から当接した際には、係止部５ｄがフィルタ係止部１２により乗り上げやすくなり、爪部５をフィルタ係止部１２に係止しやすくなる。
【００２５】
なお、上記の説明では、爪部５ａ，５ｂのうち爪部５ｂの形状について説明したが、爪部５ａの形状についても、爪部５ｂと同様の形状で構成されている。なお、爪部５ａ，５ｂの形状は、同一であっても異なっていてもよい。
【００２６】
＜フィルタ取付枠＞
次に、本実施形態にかかるフィルタ取付枠について説明する。図６は、本実施形態にかかるフィルタ取付枠を示す正面図である。図７は、本実施形態にかかるフィルタ取付枠を示す部分拡大断面図である。
【００２７】
図６に示すように、このフィルタ取付枠１０は、上記で説明したフィルタ１を取り付けるためのものである。フィルタ取付枠１０の材質としては、特に限定されるものではなく、例えばアルミニウム、亜鉛鋼、ステンレス鋼等の金属類、樹脂類等が挙げられる。
【００２８】
ここで、フィルタ取付枠１０を構成する辺のうち、フランジフレーム４の他方の向かい合う一対の辺４ｅ，４ｆに対応する辺の内面には、図７に示すように、フランジフレーム４の他方の向かい合う一対の辺４ｅ，４ｆを保持するための保持部である溝部１１が設けられている。
【００２９】
溝部１１は、通気方向Ａに対して上流側にある上流側仕切り板１１ａと、該上流側仕切り板１１ａよりも下流側にある下流側仕切り板１１ｂと、該下流側仕切り板１１ｂの上流側面に設けられるガスケット部１１ｃとで構成されている。そして、上流側仕切り板１１ａの枠からの高さに対して、下流側仕切り板１１ｂの枠からの高さが高く構成されている。これにより、後述する図９に示すように、折り曲げたフランジフレーム４の他方の向かい合う一対の辺４ｅ，４ｆ [すなわち、ヒンジ部６ａ，６ｂが設けられていない向かい合う一対の辺（図２参照）]を、ガスケット部１１ｃに当接させた状態で（図１０参照）、折り曲げたフランジフレーム４を押し込みながら広げると、該一対の辺４ｅ，４ｆを上流側仕切り板１１ａと下流側仕切り板１１ｂとの間に簡単に挿入することができる（図１１、１２参照）。
【００３０】
上流側仕切り板１１ａの枠からの高さと、下流側仕切り板１１ｂの枠からの高さとの段差は５ｍｍ以上、好ましくは５〜２５ｍｍであるのがよく、この段差の範囲内で、上流側仕切り板１１ａの枠からの高さに対して、下流側仕切り板１１ｂの枠からの高さが高く構成されているのが好ましい。なお、上流側仕切り板１１ａの枠からの高さと、下流側仕切り板１１ｂの枠からの高さとが同じ高さ、すなわち段差がないように構成されていてもよい。
【００３１】
さらに、上流側仕切り板１１ａと下流側仕切り板１１ｂとの間隙は、フランジフレーム４の他方の向かい合う一対の辺４ｅ，４ｆの厚みよりも大きく、上流側仕切り板１１ａとガスケット部１１ｃとの間隙は、前記一対の辺４ｅ，４ｆの厚みよりも薄く構成されているのが好ましい。これにより、該溝部１１内に挿入されたフランジフレーム４の他方の向かい合う一対の辺４ｅ，４ｆは、ガスケット部１１ｃによって挟圧保持され、その結果、該一対の辺４ｅ，４ｆを確実に保持することができると共に、優れた気密性を示すことができる。
【００３２】
ガスケット部１１ｃの組成としては、前記一対の辺４ｅ，４ｆを挟圧保持する際において、ガスケット部１１ｃ自体が弾性変形を示すと共に、該ガスケット部１１ｃの反発力によって溝部１１内に挿入された前記一対の辺４ｅ，４ｆが、該溝部１１内から押し戻されることがない程度の弾性を有するものであればよく、例えば前記弾性を有するエチレン・プロピレンゴム（ＥＰＤＭ）、クロロプレンゴム、シリコーンゴム等のゴムが挙げられる。
【００３３】
本実施形態では、フィルタ取付枠１０の通気方向Ａに対して上流側には、フィルタ１の爪部５（５ｂ）が係止するためのフィルタ係止部１２が設けられている。また、溝部１１がフィルタ取付枠１０の全周に形成されている。そして、該溝部１１は、上記した構成に加え、後述する図１３に示すように、爪部５がフィルタ係止部１２に係止された状態で、該爪部５が、フィルタ取付枠１０を構成する辺のうち、フランジフレーム４の一方の向かい合う一対の辺４ｃ，４ｄに対応する辺の内面に設けられている仕切り板（下流側仕切り板１１ｂ）の上流側面に設けられるガスケット部１１ｃによって、通気方向Ａの上流側に押圧されるように構成されている。
【００３４】
具体的には、図１３に示すように、溝部１１は、爪部５ｂがフィルタ係止部１２に係止された状態で、フランジフレーム４の辺４ｄの下流側の面が、下流側仕切り板１１ｂの上流側面に設けられているガスケット部１１ｃに当接し、辺４ｄの上流側の面が、上流側仕切り板１１ａに当接しない位置で係止されるように構成されている。さらに、フィルタ係止部１２の係止面１２ａから下流側仕切り板１１ｂまでの間隙は、係止部５ｄの上流側の面から辺４ｄの下流側の面までの厚みよりも大きく、係止面１２ａからガスケット部１１ｃまで間隙は、係止部５ｄの上流側の面から辺４ｄの下流側の面までの厚みよりも薄くなるように構成されている。これにより、爪部５ｂがフィルタ係止部１２に係止されると、該爪部５ｂが、ガスケット部１１ｃによって、通気方向Ａ上流側に押圧されるので、フィルタ１のフィルタ取付枠１０への取り付け安定性が向上すると共に、該フィルタ１のフランジフレーム４の一方の向かい合う一対の辺４ｃ，４ｄが挟圧保持される。また、溝部１１がフィルタ取付枠１０の全周に形成されている場合には、例えば押出成型等で内面に溝部１１が形成された枠辺を製作し、その1種類のみで、フィルタ取付枠１０を構成することができるので、コストダウンを図ることもできる。
なお、爪部５ａについても、爪部５ｂと同様に、爪部５ａがフィルタ係止部１２に係止されると、該爪部５ａが、ガスケット部１１ｃによって、通気方向Ａ上流側に押圧される。
【００３５】
＜取付構造＞
次に、本実施形態にかかるフィルタ１のフィルタ取付枠１０への取付構造について説明する。図８および図９は、本実施形態にかかるフィルタをフィルタ取付枠へ取り付ける状態を示す概略説明図である。図１０は、図９の保持部付近を示す部分拡大断面図である。図１１は、本実施形態にかかるフィルタのフィルタ取付枠への取付構造を示す概略説明図である。図１２は、図１１の保持部付近を示す部分拡大断面図である。図１３は、図１１の取付構造を通気方向に対して直交する向きから見た部分拡大断面図である。
【００３６】
本実施形態にかかるフィルタ１のフィルタ取付枠１０への取付構造は、フィルタ１のフランジフレーム４を折り曲げた状態から広げた状態で、該フランジフレーム４の他方の向かい合う一対の辺４ｅ，４ｆが、フィルタ取付枠１０を構成する辺のうち、フランジフレーム４の他方の向かい合う一対の辺４ｅ，４ｆに対応する辺の内面に設けられている保持部である溝部１１に保持されるものである。
【００３７】
具体的には、まず、図８に示すように、矢印Ｂに示す方向にフランジフレーム４（４ａ，４ｂ）を折り曲げてフィルタ１の幅を狭めた後、幅を狭めたフィルタ１を矢印Ｃに示す方向に動かして、図９に示すように、該フィルタ１をフィルタ取付枠１０内に挿入する。この際、フランジフレーム４（４ａ，４ｂ）は、フィルタ１をフィルタ取付枠１０内に挿入することができる程度にまで折り曲げればよい。
【００３８】
ついで、図９および図１０に示すように、折り曲げたフランジフレーム４の他方の向かい合う一対の辺４ｅ，４ｆが、下流側仕切り板１１ｂの上流側面に設けられているガスケット部１１ｃに当接するように挿入する。これにより、図９に示すように、折り曲げたフランジフレーム４の中央付近を矢印Ｄに示す方向に押し込むと、一対のフランジフレーム４ａ，４ｂが、折り曲げられた状態から矢印Ｅに示す方向に広がる。その結果、フランジフレーム４の他方の向かい合う一対の辺４ｅ，４ｆが、上流側仕切り板１１ａと下流側仕切り板１１ｂとの間に簡単に挿入されると共に、挿入された該フランジフレーム４の前記一対の辺４ｅ，４ｆは、下流側仕切り板１１ｂの上流側面に設けられているガスケット部１１ｃによって挟圧保持される（図１２参照）。
【００３９】
さらに、折り曲げたフランジフレーム４の中央付近を矢印Ｄに示す方向に押し込むことによって、図１３に示すように、フィルタ１の爪部５（５ａ，５ｂ）が、フィルタ取付枠１０のフィルタ係止部１２に係止される。具体的には、まず、爪部５ｂの係止部５ｄの下流側の面が、フィルタ係止部１２に上流側から当接するが、該下流側の面は前記した通り曲面状に形成されているので、フィルタ係止部１２に乗り上げ、そして、係止部５ｄの下流側がフィルタ係止部１２を乗り越えた後、該係止部５ｄの上流側の面がフィルタ係止部１２の下流側に係止される。爪部５ａについても、爪部５ｂと同様にして、フィルタ係止部１２に係止されることにより、フィルタ１をフィルタ取付枠１０に取り付けることができる。このように、フィルタ１をフィルタ取付枠１０内に押し込むことにより、殆どワンタッチで取り付けることができる。
【００４０】
上記のようにしてフィルタ取付枠１０に取り付けられたフィルタ１は、該フィルタ１のフランジフレーム４の他方の向かい合う一対の辺４ｅ，４ｆが、溝部１１のガスケット部１１ｃによって挟圧保持され、さらに、爪部５がフィルタ係止部１２に係止された状態で、該爪部５が、フィルタ取付枠１０を構成する辺のうち、フランジフレーム４の一方の向かい合う一対の辺４ｃ，４ｄに対応する辺の内面に設けられている仕切り板（下流側仕切り板１１ｂ）の上流側面に設けられているガスケット部１１ｃによって、通気方向Ａの上流側に押圧されているので、フィルタ１のフィルタ取付枠１０への取り付け安定性および気密性に優れる。
【００４１】
一方、フィルタ１を交換するために、該フィルタ１をフィルタ取付枠１０から取り外す際には、以下のようにして取り外せばよい。すなわち、まず、爪部５（５ａ，５ｂ）がフレーム係止部１２を乗り越える様に手前に持ち上げると共に、そのままフランジフレーム４（４ａ，４ｂ）中央を引き出すようにして折り曲げながら、該フランジフレーム４の他方の向かい合う一対の辺４ｅ，４ｆをそれぞれ溝部１１から引き出すことにより、フィルタ１をフィルタ取付枠１０から取り外すことができる。したがって、上記で説明した通り、フィルタ１のフィルタ取付枠１０への取り付け、取り外しを、押え金具等の別部材を必要とせず、フィルタ１のみで行うことができる。
【００４２】
次に、本発明のフィルタ、およびフィルタのフィルタ取付枠への取付構造にかかる他の実施形態について図面を参照して詳細に説明する。図１４および図１５は、本実施形態にかかるフィルタをフィルタ取付枠へ取り付ける状態を示す概略説明図である。図１６は、本実施形態にかかるフィルタのフィルタ取付枠への取付構造を示す概略説明図である。なお、図１４〜図１６においては、前述した図１〜図１３の構成と同一または同等な部分には同一の符号を付して説明は省略する。
【００４３】
本実施形態のフィルタは、フランジフレームの一方の向かい合う一対の各辺に、ヒンジ部が複数設けられている点で、上記で説明した実施形態にかかるフィルタ１と異なる。すなわち、図１４〜図１６に示すように、本実施形態にかかるフィルタ２０のフランジフレーム２４は、一方の向かい合う一対の各辺にそれぞれ設けた複数のヒンジ部２６で折曲可能に連結されたフランジフレーム２４ａ，２４ｂ，２４ｃ，２４ｄで構成されている。これにより、フィルタの幅をより狭めることができる。
【００４４】
フランジフレーム２４ａ〜２４ｄは、上記で説明した実施形態と同様に、該ヒンジ部２６により該フランジフレーム２４ａ〜２４ｄが直線状の状態から、図１４に示す矢印Ｂ’に示す方向と反対方向には折り曲げできないように構成されている。また、複数のヒンジ部２６は、袋状に縫製された各ろ材３の間に設けるのが好ましい。すなわち、本実施形態では、４つのろ材３を備えているので、一方の向かい合う一対の辺にそれぞれ設けるヒンジ部２６の個数は３個である。爪部５（５ａ，５ｂ）は、矢印Ｄ’の押し込む位置に設けるのが好ましい。
【００４５】
フィルタ２０をフィルタ取付枠１０に取り付け、取り外すには、上記で説明した実施形態と同様にして行えばよい。すなわち、まず、図１４に示すように、矢印Ｂ’に示す方向にフランジフレーム２４（２４ａ〜２４ｄ）を折り曲げ、フィルタ２０の幅を狭めた後、幅を狭めたフィルタ２０を矢印Ｃに示す方向に動かして、図１５に示すように、該フィルタ２０をフィルタ取付枠１０内に挿入する。
【００４６】
ついで、上記で説明した実施形態と同様にして、幅を狭めたフィルタ２０を矢印Ｄ’に示す方向に押すことによって、フランジフレーム２４ａ〜２４ｄが、折り曲げられた状態から矢印Ｅ’に示す方向に広がる。その結果、該フランジフレーム２４の他方の向かい合う一対の辺が溝部１１内に挿入されて保持される。
【００４７】
さらに、フィルタ２０をさらに矢印Ｄ’に示す方向に押すことによって、図１６に示すように、フレーム２０の爪部５（５ａ，５ｂ）が、フィルタ取付枠１０のフィルタ係止部１２に係止され、フィルタ２０をフィルタ取付枠１０に取り付けることができる。
【００４８】
一方、フィルタ２０をフィルタ取付枠１０から取り外す際には、まず、爪部５（５ａ，５ｂ）がフレーム係止部１２を乗り越える様に手前に持ち上げると共に、そのままフランジフレーム２４（２４ａ〜２４ｄ）を折り曲げながら、該フランジフレーム２４の前記一対の辺をそれぞれ溝部１１から引き出すことにより、フィルタ２０をフィルタ取付枠１０から取り外すことができる。したがって、上記のような構成であっても、フィルタ２０のフィルタ取付枠１０への取り付け、取り外しを、押え金具等の別部材を必要とせず、フィルタ２０のみで行うことができる。
【００４９】
次に、本発明のフィルタのフィルタ取付枠への取付構造にかかるさらに他の実施形態について図面を参照して詳細に説明する。図１７は、本実施形態にかかるフィルタのフィルタ取付枠への取付構造を示す概略説明図である。なお、図１７においては、前述した図１〜図１６の構成と同一または同等な部分には同一の符号を付して説明は省略する。
【００５０】
本実施形態の取付構造は、爪部がフィルタ取付枠に設けられている点で、上記で説明した実施形態にかかる取付構造と異なる。すなわち本実施形態の取付構造は、図１７に示すように、フランジフレーム４の一方の向かい合う一対の辺４ｃ，４ｄが、フィルタ取付枠１０を構成する辺のうち、フランジフレーム４の一方の向かい合う一対の辺４ｃ，４ｄに対応する辺の内面に設けられている爪部１５にそれぞれ係止される（辺４ｃ側は不図示）。これにより、フィルタ１に爪部５を突設しない場合であっても、フィルタ１のフィルタ取付枠１０への取り付け安定性を向上させることができる。
【００５１】
また、上記で説明した実施形態と同様に、フランジフレーム４の一方の向かい合う一対の辺４ｃ，４ｄが、フィルタ取付枠１０の爪部１５に係止された状態で、前記一対の辺４ｃ，４ｄが、フィルタ取付枠１０を構成する辺のうち、前記一対の辺４ｃ，４ｄに対応する辺の内面に設けられている仕切り板（下流側仕切り板１１ｂ）の上流側面に設けられているガスケット部１１ｃによって、通気方向Ａの上流側に押圧されているのが好ましい。これにより、フィルタ１のフィルタ取付枠１０への取り付け気密性を向上させることができる。さらに、爪部１５には、上記で説明した実施形態と同様の理由から、凹溝１６を形成するのがよい。
なお、フィルタ１に突設した爪部５と、フィルタ取付枠１０の爪部１５とを併用してもよい。
【００５２】
以上、本発明の一実施形態について示したが、本発明は上述した実施形態のみに限らず、本発明の要旨を逸脱しない範囲で変更や改良したものにも適用できることは言うまでもない。例えば、上記の実施形態では、爪部がヒンジ部の近傍でフランジフレームから通気方向に対して上流側に突設されている場合について説明したが、本発明はこれに限定されるものではなく、例えば図１８に示すように、爪部５’が、フランジフレーム４から通気方向Ａに対して略直交する向きに突設されていてもよい。
【００５３】
また、溝部１１がフィルタ取付枠１０の全周に形成されている場合について説明したが、溝部１１は、フィルタ取付枠１０を構成する辺のうち、フランジフレーム４の他方の向かい合う一対の辺４ｅ，４ｆに対応する辺の内面に設けられていればよい。なお、この場合において、爪部がフィルタ係止部に係止された状態で、該爪部が通気方向Ａの上流側に押圧されるように構成するには、下流側仕切り板１１ｂの位置に、該下流側仕切り板１１ｂと同様の仕切り板を設け、該仕切り板の上流側面にガスケット部１１ｃを設ければよい。すなわち、この場合には、上流側仕切り板１１ａを省略することができる。
【００５４】
また、溝部１１が連続した状態でフィルタ取付枠１０の所定の辺の内面に設けられている場合について説明したが、溝部１１は、フランジフレーム４の他方の向かい合う一対の辺４ｅ，４ｆを保持することができる範囲内で不連続、すなわち断続した状態で設けられていてもよい。具体例としては、フィルタ取付枠１０を構成する辺のうち、フランジフレーム４の他方の向かい合う一対の辺４ｅ，４ｆに対応する辺の内面において、溝部を該辺の両端側２箇所に前記一対の辺４ｅ，４ｆを保持することができる程度の長さで設けてもよい。
【図面の簡単な説明】
【００５５】
【図１】本発明の一実施形態にかかるフィルタを示す平面図である。
【図２】図１のフィルタを示す正面図である。
【図３】図１のフィルタを示す側面図である。
【図４】図１のフランジフレームを折り曲げる状態を示す概略説明図である。
【図５】図３の爪部付近を示す部分拡大図である。
【図６】本実施形態にかかるフィルタ取付枠を示す正面図である。
【図７】本実施形態にかかるフィルタ取付枠を示す部分拡大断面図である。
【図８】本実施形態にかかるフィルタをフィルタ取付枠へ取り付ける状態を示す概略説明図である。
【図９】本実施形態にかかるフィルタをフィルタ取付枠へ取り付ける状態を示す概略説明図である。
【図１０】図９の保持部付近を示す部分拡大断面図である。
【図１１】本実施形態にかかるフィルタのフィルタ取付枠への取付構造を示す概略説明図である。
【図１２】図１１の保持部付近を示す部分拡大断面図である。
【図１３】図１１の取付構造を通気方向に対して直交する向きから見た部分拡大断面図である。
【図１４】本発明の他の実施形態にかかるフィルタをフィルタ取付枠へ取り付ける状態を示す概略説明図である。
【図１５】他の実施形態にかかるフィルタをフィルタ取付枠へ取り付ける状態を示す概略説明図である。
【図１６】他の実施形態にかかるフィルタのフィルタ取付枠への取付構造を示す概略説明図である。
【図１７】さらに他の実施形態にかかるフィルタのフィルタ取付枠への取付構造を示す概略説明図である。
【図１８】本発明にかかる他の爪部を示す概略説明図である。
【符号の説明】
【００５６】
１，２０  フィルタ
２  開口部
３  ろ材
４，４ａ，４ｂ，２４  フランジフレーム
５，５ａ，５ｂ，１５  爪部
５ｃ  支持部
５ｄ  係止部
５ｅ，１６  凹溝
６ａ，６ｂ，２６  ヒンジ部
１０  フィルタ取付枠
１１  溝部
１１ａ  上流側仕切り板
１１ｂ  下流側仕切り板
１１ｃ  ガスケット部
１２  フィルタ係止部
【図１】
2008036570.tif 000003
【図２】
2008036570.tif 000004
【図３】
2008036570.tif 000005
【図４】
2008036570.tif 000006
【図５】
2008036570.tif 000007
【図６】
2008036570.tif 000008
【図７】
2008036570.tif 000009
【図８】
2008036570.tif 000010
【図９】
2008036570.tif 000011
【図１０】
2008036570.tif 000012
【図１１】
2008036570.tif 000013
【図１２】
2008036570.tif 000014
【図１３】
2008036570.tif 000015
【図１４】
2008036570.tif 000016
【図１５】
2008036570.tif 000017
【図１６】
2008036570.tif 000018
【図１７】
2008036570.tif 000019
【図１８】
2008036570.tif 000020